(57)【特許請求の範囲】
【請求項１】
防水パン上の水を下方に流下させるための排水孔と、
該排水孔に対し下方から係合するフロート弁体と
を備えた防水パン用排水装置において、
該フロート弁体は、該排水孔に係合可能な弁本体部と、該弁本体部と一体であり、該弁本体部から外周方向に拡大したフロート部とを有する防水パン用排水装置であって、
前記排水孔が複数個設けられており、各排水孔の下方位置にそれぞれ前記弁本体部が設けられており、各弁本体部は共通のフロート部上に設けられており、
該排水孔同士の間から下方にガイドロッドが突設されており、
前記フロート部に、該ガイドロッドに係合したガイド孔が設けられており、
前記フロート弁体は、該ガイドロッドに沿って上下動可能となっていることを特徴とする防水パン用排水装置。
【請求項２】
請求項１において、前記フロート部は板状であることを特徴とする防水パン用排水装置。
【請求項３】
請求項１又は２において、前記ガイド孔は非円形であり、
前記ガイドロッドは非円柱形であり、
前記フロート弁体は、該ガイドロッドに沿って旋回不能に上下動可能となっていることを特徴とする防水パン用排水装置。
【請求項４】
請求項１ないし３のいずれか１項において、前記排水孔は下方ほど拡径するテーパ状であり、前記弁本体部は上方ほど縮径するテーパ状であることを特徴とする防水パン用排水装置。
【請求項５】
請求項１ないし４のいずれか１項において、前記弁本体部の頂部が略半球状となっていることを特徴とする防水パン用排水装置。
【請求項６】
請求項１ないし５のいずれか１項の防水パン用排水装置を備えた防水パン。
【発明の詳細な説明】
【技術分野】
【０００１】
本発明は、浴槽パン、シャワーパン、洗濯機パン等の防水パンの排水装置に係り、特に排水路から防水パン上に水が逆流することを防止するためのフロート式逆止弁を備えた防水パン用排水装置に関する。また、本発明はこの防水パン用排水装置を備えた防水パンに関する。
【背景技術】
【０００２】
防水パンの排水トラップに、トラップ内から防水パン上に水が逆流することを防止するための逆止弁を設けることが特許文献１に記載されている。特許文献１の図１３，１４では、排水孔及びフロート式の逆止弁の双方にテーパ形のシート面が設けられている。トラップ内の水位が上昇すると、逆止弁が上昇し、逆止弁のシート面が排水孔のシート面に当接し、水の逆流が阻止される。
【０００３】
この特許文献１の図１３，１４では、逆止弁は略円筒形であり、上部外周縁がテーパ状の該シート面となっている。この特許文献１の逆止弁では、逆止弁の底面の面積が小さいので、トラップ内の水位が急激に上昇してきたときの逆止弁の上昇速度が小さく、逆止弁が排水孔を閉鎖するよりも前に一部の水が防水パン上に流出してしまうおそれが大きい。
【０００４】
特許文献２にも、特許文献１と同様に作動する逆止弁を有した逆流防止金物が記載されている。特許文献２では、逆止弁（特許文献２では円錐形フロートと称されている。）は、切頭円錐形である。この特許文献２でも、逆止弁の底面の面積が小さく、特許文献１と同様に、急激な逆流時に水が防水パン上に流出することを確実に防止することは難しい。
【先行技術文献】
【特許文献】
【０００５】
【特許文献１】特開２００１−２００５６５
【特許文献２】実開昭６１−１１２０７４
【発明の概要】
【発明が解決しようとする課題】
【０００６】
本発明は、上記従来の問題点を解決し、排水装置内の水位が急激に上昇する場合でも、水が防水パン上に流出することを確実に防止することができる防水パン用排水装置と、この防水パン用排水装置を備えた防水パンとを提供することを目的とする。
【課題を解決するための手段】
【０００７】
本発明の防水パン用排水装置は、防水パン上の水を下方に流下させるための排水孔と、該排水孔に対し下方から係合するフロート弁体とを備えた防水パン用排水装置において、該フロート弁体は、該排水孔に係合可能な弁本体部と、該弁本体部と一体であり、該弁本体部から外周方向に拡大したフロート部とを有する防水パン用排水装置であって、前記排水孔が複数個設けられており、各排水孔の下方位置にそれぞれ前記弁本体部が設けられており、各弁本体部は共通のフロート部上に設けられており、該排水孔同士の間から下方にガイドロッドが突設されており、前記フロート部に、該ガイドロッドに係合したガイド孔が設けられており、前記フロート弁体は、該ガイドロッドに沿って上下動可能となっていることを特徴とするものである。
【０００８】
前記フロート部は板状であることが好ましい。
【００１０】
本発明では、フロート部に非円形のガイド孔が設けられており、前記フロート弁体は、該ガイド孔が係合した非円柱形のガイドロッドに沿って旋回不能に上下動可能となっていることが好ましい。
【００１１】
本発明では、前記排水孔は下方ほど拡径するテーパ状となっており、弁本体部は上方ほど縮径するテーパ状となっていることが好ましい。
【００１２】
本発明では、前記弁本体部の頂部が略半球状となっていてもよい。
【発明の効果】
【００１３】
本発明の防水パン用排水装置にあっては、フロート弁体は、弁本体部と、該弁本体部と一体であり、該弁体部から外周方向に拡大したフロート部とを有しており、フロート弁体の底面の面積が大きい。そのため、排水装置内の水位が急激に上昇する場合、上昇する水流がフロート弁体の底面に当り、フロート弁体は浮力だけでなく水流の押し上げ力によっても付勢されて急速に上昇し、速やかに弁体部が排水孔に入り込んで該排水孔を閉止する。これにより、排水が防水パンの上側に流出することが確実に防止される。
【００１４】
このフロート部は、排水装置内の水位が低下したときには錘として作用し、フロート弁体を重力によって下降させる役割を果す。これにより、フロート弁体が排水孔に付着したままとなったり、下降しにくくなったりすることが防止される。
【００１５】
フロート部を板状とすることにより、フロート弁体の底面の面積が大きくなるので、逆流防止効果が向上する。
【００１６】
フロート部の上面に複数の弁本体部を設けると、各弁本体部が同期して上下動し、逆流防止効果が向上する。
【００１７】
この場合、フロート部に非円形のガイド孔を設け、非円柱形のガイドロッドに沿って防水パン用排水装置が旋回することなく上下動するよう構成することが好ましい。これにより、弁本体部を常に排水孔の下方に位置させることができる。
【００１８】
排水孔を下方ほど拡径するテーパ形状とし、弁本体部を上方ほど縮径するテーパ形状とすることにより、フロート弁体が上昇したときに弁本体部が排水孔にスムーズに入り込む。
【００１９】
弁本体部の頂部を略半球状とすることにより、弁本体部の頂部にゴミ等の異物が引っ掛ることが防止される。
【図面の簡単な説明】
【００２０】
【図１】実施の形態に係る防水パン用排水装置を備えた浴槽パンの防水パン用排水装置付近の縦断面図である。
【図２】図１の一部の拡大図である。
【図３】フロート弁体の斜視図である。
【図４】図１のIV−IV線断面図である。
【発明を実施するための形態】
【００２１】
以下、図１〜４を参照して実施の形態について説明する。図１，４の通り、浴槽防水パン（以下、浴槽パンということがある。）１の排水装置取付孔２に防水パン用排水装置３が取り付けられている。この防水パン用排水装置３は、ボトムケース４とトップケース５とを備えている。ボトムケース４のフランジ４ａとトップケース５のフランジ５ａとでパッキン（図示略）を介して取付孔２の周縁部を挟持することにより、該防水パン用排水装置３が浴槽パン１に取り付けられている。
【００２２】
トップケース５に蓋部材７が着脱可能に装着されている。この蓋部材７には、浴槽排水の流入口８（図４）と、浴槽パン２上の水を防水パン用排水装置３内に流入させるためのパン排水孔９が設けられている。図示は省略するが、流入口８に対しては、浴槽の排水口がフレキホース等の導水部材によって接続される。
【００２３】
この実施の形態では、図２の通り、パン排水孔９は下方ほど拡径するテーパ孔よりなる。パン排水孔９は複数個（この実施の形態では２個）設けられており、各パン排水孔９同士の間から下方にガイドロッド１０が突設されている。該ガイドロッド１０の下端には鍔部１０ａが設けられており、フロート弁体１１が下方に脱落しないよう構成されている。
【００２４】
図３の通り、フロート弁体１１は、板状のフロート部１２と、該フロート部１２の上面に設けられた２個の弁本体部１３と、フロート部１２の中央に設けられたガイド孔１４とを有している。
【００２５】
フロート部１２は略楕円形の板状であり、楕円長軸方向の両端側に弁本体部１３が設けられており、弁本体部１３，１３の中間に方形のガイド孔１４が設けられている。
【００２６】
弁本体部１３は上方ほど縮形するテーパ形状であり、頂部は略半球状に丸みを帯びた形状となっている。各弁本体部１３は前記パン排水孔９の下方に位置している。
【００２７】
ガイドロッド１０は四角柱状であり、ガイド孔１４は該ガイドロッド１０が係合する方形であり、フロート弁体１１がガイドロッド１０回りに旋回しないよう構成されている。これにより、弁本体部１３は必ずパン排水孔９と同軸位置を占めるようになる。なお、ガイドロッド１０の断面形状及びガイド孔１４の形状は、非円形であればよく、楕円形、三角形、多角形などであってもよい。
【００２８】
フロート弁体１１は、ゴム又はポリプロピレン等の合成樹脂製であり、発泡材としたり軽量フィラーを配合したりすることにより材料自体を比重１未満のものとするか、又は中空構造とすることにより水に浮くように構成したものとなっている。
【００２９】
このように構成された防水パン用排水装置３においては、浴槽からの排水は、流入口８から防水パン用排水装置３内に流入し、流出口４ｂ（図４）から流出する。浴槽パン１上の水は、パン排水孔９を通って防水パン用排水装置３内に流入し、流出口４ｂから流出する。流出口４ｂから流出した水は、洗い場防水パンの洗い場排水トラップを経て排水管へ流出する。
【００３０】
浴槽から大流量にて浴槽排水が防水パン用排水装置３内に流入したり、洗い場から大量の水が洗い場排水トラップを介して防水パン用排水装置３に流入したりすることにより、防水パン用排水装置３内の水位が急激に上昇した場合、フロート弁体１１が上昇し、弁本体部１３がパン排水孔９に入り込んでこれを閉止するので、防水パン用排水装置３内の水がパン排水孔９を通って浴槽パン１の上側に逆流することが防止される。
【００３１】
特に、この実施の形態では、弁本体部１３の下側に板面の面積が大きい板状のフロート部１２を設けているので、防水パン用排水装置３内の上昇流がフロート部１２に当り、フロート弁体１１の浮力だけでなく上昇する水勢によってもフロート弁体１１が押し上げられ、弁本体部１３が速やかにパン排水孔９を閉止する。また、複数の弁本体部１３が同期して上下動する。このため、浴槽パン１の上側への水の逆流が確実に防止される。
【００３２】
また、この実施の形態では、パン排水孔９及び弁本体部１３がいずれもテーパ形状であるので、フロート弁体１１が上昇するときに弁本体部１３がパン排水孔９内にスムーズに入り込む。
【００３３】
この実施の形態では、弁本体部１３に対し比較的大きな板状フロート部１２が一体に設けられているので、防水パン用排水装置３内の水位が低下したときには、弁本体部１３に対しそれ自体の重量と共にフロート部１２の重量も加わることになり、弁本体部１３がパン排水孔９から速やかに離反して下降する。
【００３４】
この実施の形態では、弁本体部１３の頂部が略半円形状となっているので、パン排水孔９からゴミ等の異物が流れ落ちてきても、弁本体部１３に異物が付着しにくい。そのため、弁本体部１３とパン排水孔９との間に異物が噛み込まれることも防止され、弁本体部１３の閉止性が良好となる。
【００３５】
この実施の形態では、弁本体部の頂部が排水孔に一部入っているため、よりスムーズに孔に入りこむ。なお、弁本体部１３の頂部は略半球状であればよく、真半球状でなくてもよい。例えば、半楕円球形状などであってもよい。
【００３６】
上記実施の形態では、パン排水孔９及び弁本体部１３が２個ずつ設けられているが、１個ずつ又は３個以上ずつ設けられてもよい。
【００３７】
本発明では、排水装置にトラップ機構を設けてもよい。
【符号の説明】
【００３８】
１  浴槽防水パン
３  防水パン用排水装置
８  浴槽排水流入口
９  パン排水孔
１０  ガイドロッド
１１  フロート弁体
１２  フロート部
１３  弁本体部
１４  ガイド孔
【図１】
0005929304.tif 000002
【図２】
0005929304.tif 000003
【図３】
0005929304.tif 000004
【図４】
0005929304.tif 000005